(57)【要約】【課題】光ディスク装置をはじめとする記録再生装置において、上位装置から供給されるコマンドに対する応答動作の細部につき、ユーザが希望する動作を選択できるようにする。【解決手段】ユーザが応答動作を選択するスイッチを記録再生装置に設けることにより、迅速で直感的に選択できるようにする。異なるメーカの動作仕様から選択できるようにする。以前の規格の記録媒体を必要に応じて再生できるようにする。医療用をはじめとする使用目的を特化された装置につき前記スイッチを使用して、例えば画像の検索を容易にする。【選択図】図１
2012174285.tif 000002
【特許請求の範囲】
【請求項１】
記録媒体に対して情報信号を記録し前記記録媒体に記録された情報信号を再生する、外部のホスト装置から供給されたコマンドに応じて動作する記録再生装置であって、
前記記録媒体を駆動する駆動部と、
前記記録媒体に対して前記情報信号を記録再生するための信号処理を行う信号プロセス部と、
前記ホスト装置から供給されたコマンドに応じて前記駆動部と信号プロセス部の動作を制御する制御部と、
該制御部が前記駆動部と信号プロセス部の動作を制御する際のプログラムを格納する記憶部と、
前記記録再生装置の動作を選択するために前記記録再生装置のユーザが操作する切替え部を有し、
前記制御部は前記切替え部を参照して前記記憶部に格納されたプログラムを選択し、前記駆動部、又は／及び信号プロセス部の動作を制御することを特徴とする記録再生装置。
【請求項２】
請求項１に記載の記録再生装置において、前記切替え部は前記ホスト装置から供給されたコマンドに応じた前記記録再生装置の動作の細部を選択することを特徴とする記録再生装置。
【請求項３】
請求項１に記載の記録再生装置において、前記切替え部は前記記録媒体の種類に応じた前記記録再生装置の動作を選択することを特徴とする記録再生装置。
【請求項４】
請求項１に記載の記録再生装置において、前記記憶部に格納されたプログラムは、前記ホスト装置からの指示に応じて書替え、または削除されることを特徴とする記録再生装置。
【請求項５】
請求項１に記載の記録再生装置において、前記記録媒体から再生された情報信号が複数の画像に係る画像信号である場合には、前記切替え部は前記ユーザの操作に応じて前記複数の画像から特定の画像を選択することを特徴とする記録再生装置。
【請求項６】
記録媒体に対して情報信号を記録し前記記録媒体に記録された情報信号を再生する、外部のホスト装置から供給されたコマンドとユーザが操作する切替え部の設定に応じて動作する記録再生装置の制御方法であって、
特定の動作を指示するコマンドが供給されたか否かを判定するコマンド判定ステップと、
該コマンド判定ステップでの判定の結果、前記コマンドが供給されたと判定された場合には、
前記コマンドに対応した基本動作を設定する第１の動作設定ステップと、
前記切替え部の設定に応じて前記コマンドに対応した動作の細部を設定する第２の動作設定ステップを有し、
前記第１の動作設定ステップと第２の動作設定ステップで設定された動作により制御することを特徴とする記録再生装置の制御方法。
【発明の詳細な説明】
【技術分野】
【０００１】
本発明は記録再生装置、及び記録再生装置の制御方法に係り、特に該装置が備える切替え部に応じて外部装置からのコマンドに対する動作を切替える記録再生装置、及び記録再生装置の制御方法に関するものである。
【背景技術】
【０００２】
光学的記録媒体を用いる光ディスク装置をはじめとする記録再生装置においては、押しボタンスイッチやディスプレイ上に表示されたアイコンをはじめとする切替え部をユーザが操作することにより、動作や機能を複数のうちから選択して切替えるようにした装置がある。
【０００３】
特許文献１ではオーディオデータを再生する装置において、該データに係る歌詞やライナーノートにつき、複数の言語チャンネルからいずれかを選択して表示する装置を開示している。
特許文献２では複数のファンクションを備える音響機器において、複数のファンクションを同時に表示する表示器とファンクション選択スイッチを備え、該選択スイッチで選択されたファンクションを動作させる機器を開示している。
特許文献３では複数の記録媒体を使用するチェンジャー型記録媒体再生装置であって、記録媒体を選択して所定の動作を行う装置を開示している。
【先行技術文献】
【特許文献】
【０００４】
【特許文献１】特開２００５−６３５８２号公報
【特許文献２】実開平４−８６２９５号公報
【特許文献３】特開平１０−２６９６８８号公報
【発明の概要】
【発明が解決しようとする課題】
【０００５】
前記した特許文献に開示される装置は主に音声信号の再生装置であるが、現在では映像や音声をはじめとする多くの種類の情報データを記録し再生する装置が普及してきている。多くの場合、記録媒体に対して情報データを記録再生する記録再生装置は、構成上これとは別に設けられたホスト装置からインタフェース部を介して動作制御されている。例えばユーザが発した動作指令などはホスト装置に入力され、ホスト装置がこれに対応する所定のコマンドを生成して記録再生装置に供給し、所定の動作を行わせている。
【０００６】
このため、場合によってはユーザが動作指令を発してから、記録再生装置がこれに対応した動作を行うまでの間の時間遅れが問題になることがある。
また、ホスト装置と記録再生装置で製作したメーカが異なっていても基本的な動作が可能なように、ホスト装置が発生するコマンドが規格化されていることはもちろん、該コマンドに対する記録再生装置の応答動作も大筋の基本動作では一致するように規格化されている。しかし、後記するように記録再生装置の動作の細部においては、メーカが独自に考えて応答動作を決める部分がある。このため、記録再生装置が換わった場合に、ユーザに対する使い勝手のうえで問題が発生することがある。
【０００７】
さらに、光学的記録媒体の場合、周知のとおり多くの種類の記録媒体が存在するが、例えばＤＶＤ−Ｒと称する一回だけデータの記録が可能なＤＶＤ（Digital Versatile Disc）に限っても、その規格には多くの追加変更が行われている。最近では例えばごく初期のバージョンに基づくＤＶＤ−Ｒを、使いこなせない記録再生装置が流通する場合がある。
また、ＢＤ（Blu-ray Disc）とともにポストＤＶＤの光学的記録媒体の候補であったＨＤ−ＤＶＤのディスクにおいては、現在でも情報データが記録された記録媒体を所有するユーザがおり、記録再生装置においてＨＤ−ＤＶＤの再生機能が要求されることがある。
【０００８】
もちろん、記録再生装置が全ての状況に対応できるように多種類のソフトウェアやファームウェアのプログラムを備えれば対処できるが、内蔵するプログラムが増大するうえに、これを保持するメモリの容量が膨大となり、価格が上昇する要因となるので望ましくない。このように、装置間のインタフェースに係る互換性や、記録媒体に対する互換性に関してはさらに解決すべき問題がある。
本発明の目的は前記した問題を解決するため、記録再生装置が備える切替え部に応じて外部装置からのコマンドに対する動作を切替える記録再生装置、及び記録再生装置の制御方法を提供することにある。
【課題を解決するための手段】
【０００９】
前記課題を解決するため本発明は、記録媒体に対して情報信号を記録し前記記録媒体に記録された情報信号を再生する、外部のホスト装置から供給されたコマンドに応じて動作する記録再生装置であって、
前記記録媒体を駆動する駆動部と、前記記録媒体に対して前記情報信号を記録再生するための信号処理を行う信号プロセス部と、前記ホスト装置から供給されたコマンドに応じて前記駆動部と信号プロセス部の動作を制御する制御部と、該制御部が前記駆動部と信号プロセス部の動作を制御する際のプログラムを格納する記憶部と、前記記録再生装置の動作を選択するために前記記録再生装置のユーザが操作する切替え部を有し、
前記制御部は前記切替え部を参照して前記記憶部に格納されたプログラムを選択し、前記駆動部、又は／及び信号プロセス部の動作を制御することを特徴としている。
【００１０】
また本発明は、記録媒体に対して情報信号を記録し前記記録媒体に記録された情報信号を再生する、外部のホスト装置から供給されたコマンドとユーザが操作する切替え部の設定に応じて動作する記録再生装置の制御方法であって、
特定の動作を指示するコマンドが供給されたか否かを判定するコマンド判定ステップと、
該コマンド判定ステップでの判定の結果、前記コマンドが供給されたと判定された場合には、前記コマンドに対応した基本動作を設定する第１の動作設定ステップと、前記切替え部の設定に応じて前記コマンドに対応した動作の細部を設定する第２の動作設定ステップを有し、
前記第１の動作設定ステップと第２の動作設定ステップで設定された動作により制御することを特徴としている。
【発明の効果】
【００１１】
本発明によれば、記録再生装置が備える切替え部に応じて外部装置からのコマンドに対する動作を切替える記録再生装置、及び記録再生装置の制御方法を提供でき、記録再生装置の使い勝手の向上に寄与できるという効果がある。
【図面の簡単な説明】
【００１２】
【図１】本発明の一実施例における記録再生装置のブロック図である。
【図２】本発明の一実施例における記録再生装置の外観図である。
【図３】本発明の一実施例におけるメモリでのプログラムの格納状態を示す図である。
【図４】本発明の一実施例における記録再生装置から再生された画像を示す図である。
【図５】本発明の一実施例における記録再生装置の動作フロー図である。
【発明を実施するための形態】
【００１３】
以下、本発明の実施例につき図面を用いて説明する。
本実施例による記録再生装置は、基本的には外部の上位装置であるホストコンピュータにより制御され、該ホストコンピュータから供給されたコマンドに応じて動作する装置である。しかし前記記録再生装置は、ユーザが操作するロータリースイッチをはじめとする切替え部を有しており、例えば前記コマンドに対する応答動作の細部をユーザの選択に応じて切替えることに、一つの特徴がある。
【００１４】
図１は、本発明の一実施例における記録再生装置１のブロック図である。まず、図１に基づき記録再生装置の動作の概要を説明する。
光ディスク１０１は、例えばＣＤ（Compact Disc）、ＤＶＤやＢＤをはじめとする、光学的に情報信号を記録するための記録媒体である。ユーザが使用する光ディスク１０１は、スピンドルモータ１０５のシャフト上の固定部に装着される。装着された光ディスク１０１は、スピンドルモータ１０５により所定の回転速度で回転駆動される。そのためのスピンドルモータ制御信号は、ＤＳＰ（Digital Signal Processor）１０９が含むサーボ部１１３で生成されて、スピンドルモータ１０５に供給される。なお、サーボ部１１３が前記スピンドルモータ制御信号を生成するために、回転数検出回路１０６が設けられており、回転数検出回路１０６が発生するスピンドルモータ１０５の回転数を示す信号がＤＳＰ１０９に供給されている。
【００１５】
光ピックアップ１０２は対物レンズ１０４を介して、内蔵するレーザ光源（図示せず）で発生されたレーザ光束を光ディスク１０１の記録面に照射し、データを記録または再生する。
光ピックアップ１０２は、スレッド機構に搭載されており、スレッドモータ１０３の回転に伴い、光ディスク１０１上の半径方向に移動して所定のトラック位置においてデータの記録再生を行う。このためのスレッドモータ制御信号はサーボ部１１３で生成されて、スレッドモータ１０３に供給される。
なお、対物レンズ１０４は電磁力を用いたアクチュエータ（図示せず）に搭載されており、サーボ部１１３から供給されるアクチュエータ制御信号に基づき、光ディスク１０１上の記録トラックに対して高精度にフォーカスを合わせてトラッキング（トラックトレース）するよう制御されている。
【００１６】
光ピックアップ１０２が含む光検出器１２１は、前記レーザ光束の光ディスク１０１からの反射光を検出し、光ディスク１０１に記録されていた情報信号を検出して電気信号に変換する。検出された情報信号は信号処理部１０７に供給される。信号処理部１０７は、ＡＦＥ（Analog Front End）回路とも呼ばれる回路を含み、ＡＦＥ回路は前記情報信号を演算処理して、例えばトラッキング制御信号とフォーカス制御信号を生成し、ＤＳＰ１０９が含むサーボ部１１３に供給する。サーボ部１１３は、供給されたトラッキング制御信号とフォーカス制御信号に基づき、前記したアクチュエータ制御信号を生成して光ピックアップ１０２に供給する。前記したように光ピックアップ１０２は、該制御信号に基づき、光ディスク１０１上の記録トラックに対して高精度にフォーカスを合わせてトラックトレースする。
【００１７】
また信号処理部１０７は、光ディスク１０１に対してデータを記録再生した際の振幅や位相の周波数特性を等化したうえで、等化されたデータをＤＳＰ１０９が含むエンコーダ・デコーダ部１１２に供給する。エンコーダ・デコーダ部１１２は、光ディスク１０１に記録されていた情報信号の再生デコード処理を行う。例えば、光ディスク１０１に記録する以前に情報信号に施されたデータ圧縮処理とは逆の伸張処理を行い、元の情報信号をデコードする。なお、先の信号処理部１０７は、ＤＳＰ１０９と同じ半導体チップ上に集積されることがある。
【００１８】
光ピックアップ１０２と信号処理部１０２の間、信号処理部１０７とＤＳＰ１０９の間は、双方向の矢印で結線されているように、記録再生装置１は、光ディスク１０１に記録された情報信号の再生処理動作だけでなく、外部（例えば後記するホストコンピュータ２）から供給された情報信号を、光ディスク１０１に記録するための記録処理動作を有する。その際、エンコーダ・デコーダ部１１２は外部から供給された情報信号に対し、データ圧縮処理をする記録エンコード処理を行って信号処理部１０７に供給する。信号処理部１０７は供給された情報信号に対して、可変長符号化をはじめとするの記録符号化処理を行って光ピックアップ１０２に供給する。
【００１９】
以上述べた記録再生装置１の動作は、例えばマイコン（マイクロコンピュータ）による制御部１１１が生成する制御信号に基づいて行われる。図示するように制御部１１１もＤＳＰ１０９と同じ半導体チップ上に集積されることがある。また、メモリ１１４は制御部１１１が動作するためのアプリケーションプログラムや、記録再生装置１の動作状態を示すフラグをはじめとする情報を記憶するための記憶部である。メモリ１１４はＤＳＰ１０９に対して外付けされていても良い。
【００２０】
なお、例えばユーザからの動作指令の多くは、まずユーザインタフェース３をユーザが操作することで発生される。ユーザインタフェース３は、例えばリモートコントローラで代表されるようなスイッチ、アイコンが表示された画面、或いはマウスやキーボードであって良い。ユーザインタフェース３で発生されたユーザからの動作指令に応じて、記録再生装置１の上位装置であるホストコンピュータ２で記録再生装置１を制御するための指令信号が生成される。ホストコンピュータ２で生成された指令信号は、ＤＳＰ１０９が含むＩ／Ｆ（インタフェース）部１１０が上位装置と記録再生装置１の間の通信を仲介することで伝達される。また、前記したデータの再生時にエンコーダ・デコーダ部１１２で処理された情報信号は、Ｉ／Ｆ部１１０を介してホストコンピュータ２に供給される。インタフェース部１１０とホストコンピュータ２の間は、記録再生装置１の外部に設けられたケーブルにより接続されている。
【００２１】
制御部１１１には、Ｉ／Ｆ部１１０を介して記録再生装置１が有する切替え部１１５からの指令信号が供給される。切替え部１１５は、ユーザが記録再生装置１の外部から容易に操作できるように設けられている。即ち、切替え部１１５はユーザからの動作指令を発生させるための構成要素であるが、先のユーザインタフェース３とは異なり、発生された動作指令はホストコンピュータ２を介さず、記録再生装置１に直接入力される。
例えば、記録動作や再生動作を指示するためのユーザからの基本的な動作指令は、ユーザインタフェース３からホストコンピュータ２に入力される。ホストコンピュータ２は該動作指令に対して規格化されたコマンドを生成して、Ｉ／Ｆ部１１０を介して制御部１１１に供給する。
【００２２】
次に、制御部１１１は該コマンドを参照し、該コマンドに対する応答動作の細部に関して、複数の異なる方法に対応したプログラムがメモリ１１４に格納されている場合には、切替え部１１５からＩ／Ｆ部１１０を介して供給された指令に基づいて、いずれか一つのプログラムを選択して前記コマンドに対する動作応答の細部を決定する。切替え部１１５はユーザによって操作される。切替え部１１５は、例えばロータリースイッチをはじめとする切替えスイッチであり、前記した応答動作の細部について、複数の方法の中からユーザが希望する方法を選択できるようにしている。
【００２３】
本実施例は光ディスク装置をはじめとする記録再生装置を例にとって説明しているが、再生機能だけの装置、光ディスク装置以外の情報ストレージ装置においても適用できる。なお、以下ではスレッドモータ１０３、スピンドルモータ１０５、回転数検出回路１０６、サーボ部１１３を総称して駆動部、信号処理部１０７、エンコーダ・デコーダ部１１２を総称して信号プロセス部、メモリ１１４を記憶部と呼ぶことがある。
【００２４】
図２は、本発明の一実施例における記録再生装置１の外観図である。記録再生装置１の外装１１７には、例えばユーザが光ディスク１０１を挿入するためのスロット１１６が設けられている。スロットではなくディスクトレイを使用する場合には、おおよそ同じ部分に光ディスク１０１を搬送するためのディスクトレイが設けられる。例えば、スロット１１６の近傍のユーザが操作し易い位置に、前記した切替え部１１５が設けられている。ここでは一例として、５個の接点を有するロータリースイッチを示している。切替え部１１５が記録再生装置１に設けられていることにより、切替え部１１５で発せられた指令に対する記録再生装置１の応答動作は、一般にホストコンピュータ２で発せられたコマンドに対する応答動作と比較し、ホストコンピュータ２をはじめとする外部機器を介さないこともあって、早く立ち上がることができる。
【００２５】
図３は、本発明の一実施例におけるメモリ１１４でのプログラムの格納状態を示す図である。ここでは図２の切替え部１１５の接点数に対応して５つのプログラムを有する例を示したが、当然ながら接点数とプログラム数が互いに異なっていても良い。図３で１〜３を付したプログラムは、ホストコンピュータ２が発生する規格化されたコマンドに対する応答動作のうち、メーカによって異なることのある細部の動作を規定したプログラムである。Ａ社、Ｂ社、Ｃ社は互いに異なるメーカの略称とする。実際に記録再生装置１を製造したメーカは３社のうち、いずれか１社でも良く、いずれとも異なっていても良い。いずれの場合でも、記録再生装置１を製造したメーカによる前記プログラムは、デフォルトとしてメモリ１１４に格納されているとする。
【００２６】
例えば画像データを再生する場合を考える。まず、ユーザからの指令に応じてホストコンピュータ２が記録再生装置１に対して再生コマンドを供給したとする。これに応じて制御部１１１がサーボ部１１３に指示して、スピンドルモータ１０５を所定の速度で回転させ、スレッドモータ１０３を起動して光ピックアップ１０２を所定の位置に移動させ、光ディスク１０１に記録されていた情報信号を再生する。以上述べた大筋の基本動作は、切替え部１１５からの指示とは関係なく、規格で定められている。
【００２７】
しかし、例えば再生動作中に動作不良があり、正常な再生画像が表示されない場合のような細部における対応動作については、メーカによって異なっている。この状態が３秒連続すると再生動作を停止する例があれば、５秒続いたら動作不良をユーザに知らせる文字表示を行って再生動作を停止する例もあり、長く続いても再生動作を継続する例もある。コマンドとこれに対する応答動作が大筋の基本動作では各メーカで一致していたとしても、細部においてはメーカによって応答動作が異なる場合が多い。これは記録再生装置１の使い勝手が低下する原因となる。
【００２８】
図３においては、Ａ社、Ｂ社、Ｃ社の３社の応答動作につき細部を定めたプログラムがメモリ１１４に搭載されており、切替え部１１５をユーザが操作することにより、ユーザが望む応答動作を選択することができる。全てのメーカについて応答動作を定めたプログラムを搭載することは、メモリ１１４の容量を膨大にするため価格的に望ましくない。ここではユーザが使い易いと判断したプログラムのみを搭載することで（図３では３個）、メモリ１１４の容量を抑えるようにしている。
なお、メモリ１１４に搭載する応答動作の細部を定めたプログラムは、初期設定時などにホストコンピュータ２からの指令により搭載されるようにする。これにより、これらのプログラムが不要化した際に削除し、また新しいプログラムに更新することもできる。また、切替え部１１５をユーザが操作するようにしているため、記録再生装置１が応答動作の細部を決めるプログラムを選択するためのソフトウェアを有する必要はない。
【００２９】
次に、図３で４と５を付したプログラムについて述べる。前記したように、例えばＤＶＤ−Ｒと称する一回だけデータの記録が可能なＤＶＤに限っても、その規格には多くの追加変更が行われている。最近では例えばごく初期のバージョンに基づくＤＶＤ−Ｒを、使いこなせない記録再生装置が流通する場合がある。また、ポストＤＶＤの候補であったＨＤ−ＤＶＤのディスクにおいては、情報データが記録された記録媒体を所有するユーザがおり、記録再生装置においてＨＤ−ＤＶＤの再生機能が要求されることがある。
【００３０】
本実施例では、ユーザがその必要性を判断したうえで、以前に多用された記録媒体を再生するためのプログラムを選んで搭載するようにしている。これにより、以前に使用した記録媒体が使用できない不便を解消することができる。また、必要なプログラムのみを選んで搭載できるため、メモリ１１４の容量が膨大化することはない。ホストコンピュータ２からの指令や光ディスク１０１から読取られた情報に基づき、プログラムの削除や更新をすることができる。
【００３１】
プログラムを記録再生装置１が有することで、動作の立ち上がりを迅速にできることは、前記した例と同様である。
また、図２で示すように切替え部１１５をロータリースイッチとする場合には、短期間使用するだけで各プログラムを設定するための接点の順序をユーザが記憶することができるため、素早い直感的な操作ができ、使い勝手の向上に寄与することができる。
【００３２】
次に、切替え部１１５により記録再生装置１を操作する例につき、さらに異なる例を述べる。これは、記録再生装置１を例えば医療向けに応用し、或いはデザイナや子供用の用途に使用する場合に有効である。
図４は、本発明の一実施例における記録再生装置から再生された画像を示す図である。
【００３３】
例えば医療用機器の分野では、光ディスクを用いた記録再生装置に患者に係る画像を保存する用途がある。例えば、診断の目的や患者の部位に応じてプログラムを分けることにより画像の検索が容易になる。また、インタネットに接続することなく見る人を限定することでセキュリティを向上することもできる。画像を検索する場合において、例えば図４で示すようにマルチ表示を行うことにより、目的とする画像を捜し易くすることができる。医師が表示された画像を見れば、目的とする画像がその前後のどの位置にあるかを見当づけることができるが、この際、先の切替え部１１５を操作して画像を順次検索することにより、直感的で迅速な画像検索をすることができる。もちろん、ホストコンピュータ２からコマンドを発生するよりも迅速な検索をすることができる。同様な操作は、多数の画像を取扱うデザイナにとっても便利である。
さらには、このように使用目的を特定して機能を特化した記録再生装置を考えることもできる。例えば、子供が見るに相応しくない画像を表示せずにスキップするような機能があっても良い。
【００３４】
次に本実施例に係る動作フローを説明する。
図５は、本発明の一実施例における記録再生装置の動作フロー図である。図１で示したブロック図や図３で示したプログラムの格納状態を参照しながら、動作のフローを述べる。
【００３５】
記録再生装置１に電源が供給され、動作指令待ちの状態でフローが開始される。
ステップＳ５１で制御部１１１は、ホストコンピュータ２が所定の動作を行うためのコマンドを発生したか否かを判定する。ステップＳ５１での判定の結果、コマンドが発生されていないと判定された場合には（図中のＮＯ）、制御部１１１は再び同じ判定を繰返す。
【００３６】
ステップＳ５１での判定の結果、コマンドが発生されたと判定された場合には（図中のＹＥＳ）、ステップＳ５２に到り、制御部１１１は該コマンドに対して規格で大筋が定められた基本動作を実行するよう、記録再生装置１の構成要素を制御する。
ステップＳ５３に到り、制御部１１１は前記コマンドに対する応答動作の細部を規定するプログラムに関し、ユーザが設定した切替え部１１５の位置を判定する。
【００３７】
ステップＳ５３での判定において、切替え部１１５が図３の１で示した位置に設定されている場合には、ステップＳ５４で制御部１１１は、前記コマンドに対する動作の細部を規定するＡ社準拠コマンド対応のプログラムを起動して、記録再生装置１の構成要素を制御する。ステップＳ５３での判定において、切替え部１１５が図３の２で示した位置に設定されている場合には、ステップＳ５５で制御部１１１は、前記コマンドに対する動作の細部を規定するＢ社準拠コマンド対応のプログラムを起動して、記録再生装置１の構成要素を制御する。同様にして、ステップＳ５３での判定において、切替え部１１５が図３の３で示した位置に設定されている場合には、ステップＳ５６で制御部１１１は、前記コマンドに対する動作の細部を規定するＣ社準拠コマンド対応のプログラムを起動して、記録再生装置１の構成要素を制御する。
【００３８】
また、ステップＳ５３での判定において、切替え部１１５が図３の４で示した位置に設定されている場合には、ステップＳ５７で制御部１１１は、ＨＤ−ＤＶＤに対応したプログラムを起動して、記録再生装置１の構成要素を制御する。ステップＳ５３での判定において、切替え部１１５が図３の５で示した位置に設定されている場合には、ステップＳ５８で制御部１１１は、以前の規格であるレガシーＤＶＤ−Ｒに対応したプログラムを起動して、記録再生装置１の構成要素を制御する。
【００３９】
以上のようにして、前記コマンドに対する動作を細部まで決定したうえで、ステップＳ５９で制御部１１１は、ユーザが切替え部１１５を異なる位置に切替えたか否かをモニタする。ステップＳ５９で切替え部１１５が切替えられていないと判定された場合には（図中のＮＯ）、制御部１１１はステップＳ５９での判定を繰返す。ステップＳ５９で切替え部１１５が切替えられたと判定された場合には（図中のＹＥＳ）、ステップＳ５３に戻り、制御部１１１は切替え部１１５の位置を判定して、再度対応したプログラムを起動して、記録再生装置１の構成要素を制御する。
図５で示した動作フローは基本的には、記録再生装置１に電源が供給されている間は継続される。
【００４０】
以上述べたように本実施例によれば、記録再生装置１が備える切替え部１１５に応じて外部装置からのコマンドに対する動作を切替えることができ、細部の動作に関してユーザの指示を反映することが出来る。ユーザは動作の切替えを直感的かつ迅速に行うことができ、さらには内蔵するメモリの容量を増大させることなく、記録再生装置の使い勝手の向上に寄与できるという効果がある。
ここまで示した実施形態は一例であって、本発明を限定するものではない。本発明の趣旨に基づきながら異なる実施形態を考えられるが、いずれも本発明の範疇にある。
【符号の説明】
【００４１】
１：記録再生装置、２：ホストコンピュータ、１０１：光ディスク、１１０：Ｉ／Ｆ部、１１１：制御部、１１４：メモリ、１１５：切替え部。
【図１】
2012174285.tif 000003
【図２】
2012174285.tif 000004
【図３】
2012174285.tif 000005
【図４】
2012174285.tif 000006
【図５】
2012174285.tif 000007